(57)【要約】【課題】耐圧性の向上効果が大きく、しかもコストが低く生産性も不利にならない中仕切り部材を備えたサック箱を提供すること。【解決手段】サック箱本体Ｓと、折り加工により底板部１１の両サイドに断面が四角状の仕切り部１５を立設可能な中仕切り部材とからなり、両サイドにその仕切り部１５を立設した状態の中仕切り部材をサック箱本体Ｓに挿入した構成とする。サック箱に掛かる押圧力が中仕切り部材の仕切り部１５により支えられることとなり、耐圧強度が高いものとなる。しかも、折り加工により両サイドに仕切り部１５を立設し、その組立状態のままサック箱本体Ｓに挿入するだけでよいので、コストが低く押さえられ、生産性が悪くなることもない。【選択図】図３
2005145513.tif 000002
【特許請求の範囲】
【請求項１】
サック箱本体と、折り加工により底板部の両サイドに断面が四角状の仕切り部を立設可能な中仕切り部材とからなり、両サイドにその仕切り部を立設した状態の中仕切り部材をサック箱本体に挿入したことを特徴とするサック箱。
【発明の詳細な説明】
【技術分野】
【０００１】
本発明は、包装分野に属し、板紙を材料とする紙器の代表的な一つであるサック箱に関するものである。
【背景技術】
【０００２】
一般に、紙器と呼ばれるものとしては、折畳み箱、組立て箱、貼り箱、その他の箱が挙げられる。このうち折畳み箱は、平らに折り畳まれており使用に際して起こして用いる箱のことであり、例えばキャラメルタイプのサック箱のように最も安価で生産性の高い箱であることから、菓子や薬などの包装分野をはじめとして多方面で利用されている。このようなサック箱は、（１）印刷、（２）打抜き及び筋付け、（３）貼りの基本工程を経て製造される。
【０００３】
上記した基本工程のうち貼りの工程は、通常、図７にその原理を示すサックマシンと呼ばれる製函機械により行われ、その手順は次のようである。まず、一枚一枚繰り出されたブランク１は、２本のベルト２，３に挟まれて進み、まず回転する糊車４によりサイド糊しろ部にエマルジョン型の接着剤Ｇがライン状に塗布される。次いで、罫線に沿ってガイドで折られ、接着剤の面と貼り合わせられ、ローラで圧着されて送り出される。このように製造された製品は指定の包装単位とされ、または通函と称する段ボール箱に所定数を収納して納品先に届けられる。
【非特許文献１】社団法人日本印刷学会編「印刷工学便覧」技報堂出版、１９９３年３月３０日、ｐ８５７−８６２
【発明の開示】
【発明が解決しようとする課題】
【０００４】
上記したキャラメルタイプのサック箱は、起こした箱の状態では単純に側面を壁で支える構造であるため、耐圧強度が低いという欠点がある。そこで、耐圧性を向上させる方法として、材料の板紙に厚いものを用いることが考えられるが、大きな効果が期待できないばかりか、材料費が高くなり、折り適正の問題から生産性も低下する。別の方法として、起こした箱の内部に仕切り板を挿入する方法もあるが、仕切り板単体を挿入しただけでは、加圧時に仕切り板が傾倒するので耐圧強度を向上させる効果は低い。また、傾倒防止策として、仕切り板を交差させる、或いはサック箱の壁面を覆う等の方法も考えられるが、製造作業が複雑になるため、コストが高くなるとともに生産性が不利になり、また品質（耐圧強度）のバラツキも懸念される。
【０００５】
本発明は、このような問題点に鑑みてなされたものであり、その目的とするところは、耐圧性の向上効果が大きく、しかもコストが低く生産性も不利にならない中仕切り部材を備えたサック箱を提供することにある。
【課題を解決するための手段】
【０００６】
上記の目的を達成するため、本発明のサック箱は、サック箱本体と、折り加工により底板部の両サイドに断面が四角状の仕切り部を立設可能な中仕切り部材とからなり、両サイドにその仕切り部を立設した状態の中仕切り部材をサック箱本体に挿入したことを特徴とする。
【発明の効果】
【０００７】
本発明のサック箱は、断面が四角状の仕切り部を両サイドに立設した中仕切り部材をサック箱本体に挿入したことにより、サック箱に掛かる押圧力が中仕切り部材の仕切り部により支えられることとなり、耐圧強度が高いものとなる。しかも、折り加工により両サイドに仕切り部を立設し、その組立状態のままサック箱本体に挿入するだけでよいので、コストが低く押さえられ、生産性が悪くなることもない。
【発明を実施するための最良の形態】
【０００８】
図１は本発明のサック箱を構成する中仕切り部材の一例を組立前の状態で示す斜視図、図２は組立状態の中仕切り部材の斜視図、図３は組み立てた中仕切り部材をサック箱本体に内蔵したサック箱を示す斜視図である。なお、図３では中仕切り部材が見えるようにするためサック箱本体が透明であるかのように描いてある。
【０００９】
図１に示す中仕切り部材１０は、サック箱本体に用いたのと同じ板紙を打ち抜いて形成されたものであり、底板部１１の左右両側にそれぞれ３本の折線により連続した折曲げ部分１２，１３，１４が区画されている。そして、底板部１１の左辺及び右辺における中程のところから外方向に突き出るコの字状の切込線ａにより突出し部分１１ａが区画されている。ここで、内側の折曲げ部分１２と外側の折曲げ部分１４は同じ幅になっており、また突出し部分１１ａの突出し長さは中央の折曲げ部分１３の幅と同じである。そして、図示のブランク１０では、内側と外側の折曲げ部分１２，１４の幅より中央の折曲げ部分１３の幅を少し大きくとってあり、底板部１１の突出し部分１１ａは内側の折曲げ部分１２を貫通して中央の折曲げ部分１３に一部がかかる状態で区画されている。
【００１０】
この中仕切り部材１０は、使用するに際して折り加工により図２に示す状態に組み立てる。すなわち、底板部１１の左右両側にある折曲げ部分１２，１３，１４を折線により凸状に折り曲げることにより、底板部１１の両サイドに断面が四角状の仕切り部１５が立設される。この時、底板部１１の突出し部分１１ａは仕切り部１５の底に位置する。
【００１１】
このように組み立てた中仕切り部材１０は、図３に示す如くサック箱本体Ｓの中に挿入した状態で使用される。組立後の仕切り部材１０をサック箱Ｓにピッタリと収納させるため、その幅、高さ及び長さはサック箱本体Ｓの内寸法と同じか僅かに小さくしておくことが好ましい。この収納状態としたサック箱は、上下方向からの押圧力に対して、四角状の仕切り部１５により耐圧強度が強化する。また、底板部１１の突出し部分１１ａの先端がサック箱本体Ｓの側壁内面下部に当接するので、上下方向から押圧された場合に、サック箱全体の傾倒が防止されることになる。
【００１２】
図４は本発明のサック箱を構成する中仕切り部材の別の例を起こす前の状態で示す斜視図、図５は起こした状態の中仕切り部材の斜視図、図６は起こした中仕切り部材をサック箱本体に内蔵したサック箱を示す斜視図である。なお、図６では中仕切り部材が見えるようにするためサック箱本体が透明であるかのように描いてある。
【００１３】
図４に示す中仕切り部材２０は、サック箱本体に用いたのと同じ板紙からなり、ブランク状態の板紙を図７で説明したサックマシンによりサック貼りして作製される。具体的には、底板部２１の左右両側にそれぞれ４本の折線により連続した折曲げ部２２，２３，２４，２５が区画されたブランクを用意し、これをサックマシンにかけ、まず底板部２１における所定箇所、すなわち折曲げ部分２３を折曲げ部分２２に対して折り曲げた時に一番外側の折曲げ部分２５が当接する箇所にライン状に接着剤を塗布し、次いで折曲げ部分２３を折曲げ部分２２に対して折り曲げて一番外側の折曲げ部分２５を底板部２１の所定箇所に貼り合わせ、この状態でローラ圧着してサック貼りする。ここで、内側の折曲げ部２２と一つ置いた折曲げ部２４は同じ幅になっている。
【００１４】
この中仕切り部材２０は、使用するに際して折り加工により図５に示す状態に起こす。すなわち、底板部２１の左右両側にある折曲げ部分２２，２３，２４で囲まれた部位を起こすことにより、底板部２１の両サイドに断面が四角状の仕切り部２６が立設される。この時、底板部１１の両端部分が仕切り部２６の底となる。
【００１５】
このように起こした中仕切り部材２０は、図６に示す如くサック箱本体Ｓの中に挿入した状態で使用される。起こした後の中仕切り部材２０をサック箱Ｓにピッタリと収納させるため、その幅、高さ及び長さはサック箱本体Ｓの内寸法と同じか僅かに小さくしておくことが好ましい。この収納状態としたサック箱は、上下方向からの押圧力に対して、四角状の仕切り部２６により耐圧強度が強化する。
【００１６】
以上、２つの具体例により本発明のサック箱について詳細に説明してきたが、本発明によるサック箱は、上記実施の形態に何ら限定されるものではなく、本発明の趣旨を逸脱しない範囲において種々の変更が可能であることは当然のことである。
【図面の簡単な説明】
【００１７】
【図１】本発明のサック箱を構成する中仕切り部材の一例を組立前の状態で示す斜視図である。
【図２】組立状態の中仕切り部材の斜視図である。
【図３】組み立てた中仕切り部材をサック箱本体に内蔵したサック箱を示す斜視図である。
【図４】本発明のサック箱を構成する中仕切り部材の別の例を起こす前の状態で示す斜視図である。
【図５】起こした状態の中仕切り部材の斜視図である。
【図６】起こした中仕切り部材をサック箱本体に内蔵したサック箱を示す斜視図である。
【図７】サックマシンの原理を示す説明図である。
【符号の説明】
【００１８】
１０  中仕切り部材
１１  底板部
１１ａ  突出し部分
１２，１３，１４  折曲げ部分
１５  仕切り部
２０  中仕切り部材
２１  底板部
２２，２３，２４，２５  折曲げ部分
２６  仕切り部
Ｓ  サック箱本体
【図１】
2005145513.tif 000003
【図２】
2005145513.tif 000004
【図３】
2005145513.tif 000005
【図４】
2005145513.tif 000006
【図５】
2005145513.tif 000007
【図６】
2005145513.tif 000008
【図７】
2005145513.tif 000009